(57)【要約】【課題】低圧流路内部の圧力脈動を低減して噴射量のばらつきを小さくしつつ、インジェクタの小型化を図る。【解決手段】インジェクタボデー２０内の低圧流路２０３を直線状に延ばすことにより、低圧流路２０３内部の圧力脈動が小さくなり、弁室の背圧変動が小さくなり、ひいては、弁体の作動が安定して噴射量のばらつきが小さくなる。また、低圧取り出し部２０２をインジェクタボデー２０におけるインジェクタボデー軸Ｊ１方向端部に設けることにより、低圧取り出し部２０２がインジェクタボデー２０の本体部からインジェクタボデー径方向に突出せず、或いは、低圧取り出し部２０２がインジェクタボデー２０の本体部からインジェクタボデー径方向に突出する度合いが小さくなり、燃料噴射弁２を小型にすることができる。【選択図】図２
2011122464.tif 000002
【特許請求の範囲】
【請求項１】
燃料を噴射するための噴孔（２１４）をノズルニードル（２１２）により開閉するノズル（２１）を備え、低圧の燃料を外部の低圧部（５）に戻すリターン配管（７）が接続される燃料噴射弁であって、
前記リターン配管（７）を接続する接続部材（１０）が組み付け固定される低圧取り出し部（２０２）、および前記低圧取り出し部（２０２）に低圧の燃料を導く低圧流路（２０３）を有するインジェクタボデー（２０）と、
内部の圧力が高圧と低圧に切り替えられる制御室（２１６）と、
前記制御室（２１６）と前記低圧流路（２０３）とを連通させる連絡通路（２２５、２２６）を開閉する弁体（２２３）と、
電気信号に応じて前記弁体（２２３）を駆動するアクチュエータ（２３）とを備え、
前記弁体（２２３）の作動に伴い前記制御室（２１６）の圧力が制御されて前記ノズルニードル（２１２）が駆動される構成であり、
さらに、前記低圧取り出し部（２０２）は、前記インジェクタボデー（２０）におけるインジェクタボデー軸方向の一端面に設けられ、
前記低圧流路（２０３）は、インジェクタボデー軸に対して平行に、且つ前記インジェクタボデー（２０）におけるインジェクタボデー軸方向の他端面から前記低圧取り出し部（２０２）まで直線状に延びていることを特徴とする燃料噴射弁。
【請求項２】
前記アクチュエータ（２３）は、前記インジェクタボデー（２０）の内部に配置されていることを特徴とする請求項１に記載の燃料噴射弁。
【請求項３】
前記低圧取り出し部（２０２）は、インジェクタボデー径方向中心部に設けられていることを特徴とする請求項１または２に記載の燃料噴射弁。
【請求項４】
前記低圧流路（２０３）は、インジェクタボデー軸からオフセットした位置に設けられていることを特徴とする請求項１または２に記載の燃料噴射弁。
【発明の詳細な説明】
【技術分野】
【０００１】
本発明は、燃料を内燃機関に噴射するための燃料噴射弁に関する。
【背景技術】
【０００２】
従来の燃料噴射弁は、ニードルにより噴孔を開閉するノズルを備えるとともに、低圧の燃料を外部の低圧部（例えば燃料タンク）に導くリターン配管が、接続部材（例えばホロスクリュー）によりインジェクタボデーに接続される。インジェクタボデーには、接続部材が組み付け固定される低圧取り出し部や、燃料噴射弁内部の低圧の燃料を低圧取り出し部に導く低圧流路が形成されている。
【０００３】
インジェクタボデーは略円筒状であり、低圧取り出し部はインジェクタボデーの外周側に設けられている。このように、低圧取り出し部はインジェクタボデーの外周側に設けられているため、低圧流路は、インジェクタボデーにおけるノズル側端面からインジェクタボデー軸方向に沿って延びた後、途中で屈曲して低圧取り出し部に接続されている。
【０００４】
また、燃料噴射弁は、内部の圧力が高圧と低圧に切り替えられる制御室、制御室と低圧流路とを連通させる連絡通路を開閉する弁体、電気信号に応じて弁体を駆動するアクチュエータ等を備え、弁体の作動に伴い制御室の圧力が制御されてノズルニードルが駆動されるようになっている（例えば、特許文献１参照）。
【先行技術文献】
【特許文献】
【０００５】
【特許文献１】特開２００７−２０５３２４号公報
【発明の概要】
【発明が解決しようとする課題】
【０００６】
しかしながら、従来の燃料噴射弁は、低圧流路は屈曲していて流路抵抗が大きいため、低圧流路内部の圧力脈動が大きくなりやすい。そして、低圧流路内部の圧力脈動が大きくなると、弁体が収容された弁室の背圧変動が大きくなり、ひいては、弁体の作動が安定せずに噴射量のばらつきが大きくなり、内燃機関性能に悪影響を与える。ここで、低圧流路の流路面積を大きくすれば低圧流路内部の圧力脈動を低減することができるが、その場合、インジェクタボデーが大型化し、ひいてはインジェクタの体格が大きくなってしまうという問題が発生する。
【０００７】
また、従来の燃料噴射弁は、低圧取り出し部がインジェクタボデーの外周側に設けられているため、低圧取り出し部がインジェクタボデー本体部からインジェクタボデー径方向に突出した形状になり、インジェクタの体格が大きくなってしまうという問題があった。
【０００８】
本発明は上記点に鑑みて、低圧流路内部の圧力脈動を低減して噴射量のばらつきを小さくしつつ、インジェクタの小型化を図ることを目的とする。
【課題を解決するための手段】
【０００９】
上記目的を達成するため、請求項１に記載の発明では、燃料を噴射するための噴孔（２１４）をノズルニードル（２１２）により開閉するノズル（２１）を備え、低圧の燃料を外部の低圧部（５）に戻すリターン配管（７）が接続される燃料噴射弁であって、リターン配管（７）を接続する接続部材（１０）が組み付け固定される低圧取り出し部（２０２）、および低圧取り出し部（２０２）に低圧の燃料を導く低圧流路（２０３）を有するインジェクタボデー（２０）と、内部の圧力が高圧と低圧に切り替えられる制御室（２１６）と、制御室（２１６）と低圧流路（２０３）とを連通させる連絡通路（２２５、２２６）を開閉する弁体（２２３）と、電気信号に応じて弁体（２２３）を駆動するアクチュエータ（２３）とを備え、弁体（２２３）の作動に伴い制御室（２１６）の圧力が制御されてノズルニードル（２１２）が駆動される構成であり、さらに、低圧取り出し部（２０２）は、インジェクタボデー（２０）におけるインジェクタボデー軸方向の一端面に設けられ、低圧流路（２０３）は、インジェクタボデー軸に対して平行に、且つインジェクタボデー（２０）におけるインジェクタボデー軸方向の他端面から低圧取り出し部（２０２）まで直線状に延びていることを特徴とする。
【００１０】
これによると、低圧流路（２０３）は屈曲していないため、低圧流路（２０３）内部の圧力脈動を低減することができ、ひいては弁体（２２３）の作動を安定させて噴射量のばらつきを小さくすることができる。
【００１１】
また、低圧取り出し部（２０２）がインジェクタボデー（２０）の軸方向端部に設けられているため、低圧取り出し部（２０２）がインジェクタボデー本体部からインジェクタボデー径方向に突出せず、或いは、低圧取り出し部（２０２）がインジェクタボデー本体部からインジェクタボデー径方向に突出する度合いが小さくなり、燃料噴射弁の小型化を図ることができる。
【００１２】
請求項２に記載の発明では、請求項１に記載の燃料噴射弁において、アクチュエータ（２３）は、インジェクタボデー（２０）の内部に配置されていることを特徴とする。
【００１３】
これによると、アクチュエータ（２３）がインジェクタボデー（２０）の外部に装着される場合よりも、燃料噴射弁の全長を短くすることができる。
【００１４】
請求項３に記載の発明では、請求項１または２に記載の燃料噴射弁において、低圧取り出し部（２０２）は、インジェクタボデー径方向中心部に設けられていることを特徴とする。
【００１５】
これによると、低圧取り出し部（２０２）がインジェクタボデー本体部からインジェクタボデー径方向に突出する度合いを小さくし易い。
【００１６】
請求項４に記載の発明では、請求項１または２に記載の燃料噴射弁において、低圧流路（２０３）は、インジェクタボデー軸からオフセットした位置に設けられていることを特徴とする。
【００１７】
これによると、低圧流路（２０３）とアクチュエータ（２３）との干渉を回避しやすい。
【００１８】
なお、この欄および特許請求の範囲で記載した各手段の括弧内の符号は、後述する実施形態に記載の具体的手段との対応関係を示すものである。
【図面の簡単な説明】
【００１９】
【図１】本発明の第１実施形態に係る燃料噴射弁を用いたコモンレール式燃料噴射装置の全体構成を示す図である。
【図２】（ａ）は図１の燃料噴射弁２の正面図、（ｂ）は（ａ）の右側面図、（ｃ）は（ａ）の左側面断面図、（ｄ）は（ａ）の平面図である。
【図３】図２（ｃ）のＡ部の拡大断面図である。
【図４】本発明の第２実施形態に係る燃料噴射弁における接続部材近傍の断面図である。
【図５】図４のＢ−Ｂ線に沿う断面図である。
【図６】本発明の第３実施形態に係る燃料噴射弁における接続部材近傍の断面図である。
【発明を実施するための形態】
【００２０】
以下、本発明の実施形態について図に基づいて説明する。なお、以下の各実施形態相互において、互いに同一もしくは均等である部分には、図中、同一符号を付してある。
【００２１】
（第１実施形態）
本発明の第１実施形態について説明する。図１は第１実施形態に係る燃料噴射弁を用いたコモンレール式燃料噴射装置の全体構成を示す図である。
【００２２】
図１に示すように、燃料噴射装置は、高圧燃料が蓄えられるコモンレール１を備え、このコモンレール１には複数の燃料噴射弁２が接続されている。燃料噴射弁２は、制御装置（以下、ＥＣＵという）３に制御されて所定の時期に所定の期間開弁して、コモンレール１から供給される高圧燃料をディーゼルエンジン（図示せず、以下内燃機関という）の各気筒内に噴射する。ここでは、４気筒内燃機関の１つに対応する燃料噴射弁２のみを示し、他の気筒に対応する燃料噴射弁については図示を省略している。
【００２３】
コモンレール１に蓄えられる高圧燃料は、高圧配管４を介して燃料供給手段Ｐから供給される。燃料供給手段Ｐは、燃料を加圧してコモンレール１に吐出する高圧ポンプ、燃料タンク５からフィルタ６を介して吸入した燃料を高圧ポンプへ供給する低圧ポンプ、および、この低圧ポンプから高圧ポンプへ供給される燃料の流量を調整する吸入調量弁を備えている。高圧ポンプは、燃料の吸入量が調整されることにより燃料の吐出量が調整される形式のポンプである。
【００２４】
燃料噴射弁２には、燃料噴射弁２内の低圧の燃料（リーク燃料等）を低圧部としての燃料タンク５へ戻すためのリターン配管７が接続されている。また、燃料供給手段Ｐには、燃料供給手段Ｐ内の低圧の燃料（リーク燃料等）を燃料タンク５へ戻すためのリターン配管８が接続されている。
【００２５】
ＥＣＵ３は、図示しないＣＰＵ、ＲＯＭ、ＲＡＭ等からなる周知のマイクロコンピュータを備え、マイクロコンピュータに記憶したプログラムに従って演算処理を行うものである。ＥＣＵ３には、コモンレール１内の圧力を検出する燃料圧センサ９からの信号が入力されるとともに、各種センサＳから内燃機関回転数、アクセル開度等の種々の情報が随時入力される。
【００２６】
そして、ＥＣＵ３は、内燃機関や車両の運転状態に応じた最適の噴射時期、噴射量（噴射期間）を算出して、各燃料噴射弁２の開弁時期および開弁期間を制御する。また、ＥＣＵ３は、燃料供給手段Ｐの目標吐出量を算出して燃料供給手段Ｐの吸入調量弁に制御信号を出力し、燃料供給手段Ｐの吐出量を制御することにより、コモンレール１内の燃料圧力（所謂コモンレール圧力）を制御する。
【００２７】
図２（ａ）は図１の燃料噴射弁２の正面図、図２（ｂ）は図２（ａ）の右側面図、図２（ｃ）は図２（ａ）の左側面断面図、図２（ｄ）は図２（ａ）の平面図である。
【００２８】
図２に示すように、燃料噴射弁２は、インジェクタボデー２０、ノズル２１、制御弁機構２２、アクチュエータ２３、リテーニングナット２４を、主要構成要素として備えている。
【００２９】
インジェクタボデー２０は、略円筒状であり、コモンレール１（図１参照）からの高圧燃料が導入される燃料入口部２０１が、インジェクタボデー２０におけるインジェクタボデー軸Ｊ１方向の一端面（反ノズル側、図２（ａ〜ｃ）の紙面上方）に近い位置に、且つインジェクタボデー２０の外周側に設けられている。また、インジェクタボデー２０をインジェクタボデー軸Ｊ１方向に見たときに燃料入口部２０１の軸Ｊ２がインジェクタボデー軸Ｊ１を通るようにして、燃料入口部２０１がインジェクタボデー２０に設けられている。
【００３０】
燃料入口部２０１には雄ねじが形成されており、図示しない高圧配管の一端が燃料入口部２０１に螺合されるとともに、その高圧配管の他端がコモンレール１に螺合されている。そして、その高圧配管を介して燃料入口部２０１に導入された高圧燃料は、インジェクタボデー２０内の高圧流路（図示せず）を介してノズル２１側に導かれるようになっている。
【００３１】
円柱状空間である低圧取り出し部２０２が、インジェクタボデー２０におけるインジェクタボデー軸Ｊ１方向の一端面に設けられている。また、低圧取り出し部２０２は、インジェクタボデー軸Ｊ１からオフセットした位置に設けられている。
【００３２】
低圧取り出し部２０２には、接続部材１０を構成するホロスクリュー１０１および接続パイプ１０２が組み付け固定されている。より詳細には、雌ねじが形成された低圧取り出し部２０２にホロスクリュー１０１を螺合することにより、接続パイプ１０２がインジェクタボデー２０に固定されている。そして、この接続パイプ１０２に、リターン配管７（図１参照）が接続される。
【００３３】
インジェクタボデー２０には、燃料噴射弁２内の低圧の燃料を低圧取り出し部２０２に導く低圧流路２０３が設けられている。この低圧流路２０３は、インジェクタボデー軸Ｊ１に対して平行に、且つインジェクタボデー２０におけるインジェクタボデー軸Ｊ１方向の他端面（ノズル側、図２（ａ〜ｃ）の紙面下方）から低圧取り出し部２０２まで直線状に延びている。また、低圧流路２０３は、インジェクタボデー軸Ｊ１からオフセットした位置に設けられている。
【００３４】
インジェクタボデー２０には、アクチュエータ２３が収容される円柱状の収容穴２０４が設けられている。この収容穴２０４は、インジェクタボデー軸Ｊ１に対して平行に、且つインジェクタボデー２０におけるインジェクタボデー軸Ｊ１方向の他端面から一端面側に向かって延びている。また、収容穴２０４は、低圧流路２０３との干渉を回避するために、インジェクタボデー軸Ｊ１に対して、低圧流路２０３とは反対側にオフセットした位置に設けられている。
【００３５】
インジェクタボデー２０には、インジェクタボデー２０におけるインジェクタボデー軸Ｊ１方向の一端面に近い位置に、且つインジェクタボデー２０の外周側に、電気コネクタ２０５が設けられている。より詳細には、インジェクタボデー２０をインジェクタボデー軸Ｊ１方向に見たときに電気コネクタ２０５の軸Ｊ３がインジェクタボデー軸Ｊ１を通るようにして、電気コネクタ２０５がインジェクタボデー２０に設けられている。また、電気コネクタ２０５と燃料入口部２０１は、インジェクタボデー周方向に約９０度ずらして配置されている。
【００３６】
上述のように、低圧取り出し部２０２および低圧流路２０３は、ともにインジェクタボデー軸Ｊ１からオフセットした位置に設けられているが、より詳細には、低圧取り出し部２０２が低圧流路２０３よりもインジェクタボデー軸Ｊ１側（すなわちインジェクタボデー径方向中心側）に設けられている。また、インジェクタボデー２０をインジェクタボデー軸Ｊ１方向に見たときに、低圧流路２０３は低圧取り出し部２０２の投影面内に位置している。
【００３７】
さらに、インジェクタボデー２０をインジェクタボデー軸Ｊ１方向に見たときに、低圧取り出し部２０２および低圧流路２０３は、燃料入口部２０１の軸Ｊ２に対して反電気コネクタ側にオフセット配置されているとともに、電気コネクタ２０５の軸Ｊ３に対して燃料入口部２０１側にオフセット配置されている。
【００３８】
アクチュエータ２３は、ピエゾ素子が多数積層されて電荷の充放電により伸縮する円柱状のピエゾスタック２３１と、ピエゾスタック２３１の伸縮変位を制御弁機構２２の弁体２２３（詳細後述）に伝達する伝達部材２３２とを備えている。そして、ピエゾスタック２３１のリード線（図示せず）が電気コネクタ２０５内のターミナル（図示せず）に接続されている。この電気コネクタ２０５には、ＥＣＵ３から延びるリード線の端部に接続された電気コネクタ（図示せず）が嵌合され、そのリード線を介してアクチュエータ２３に電力が供給されるようになっている。
【００３９】
図３は図２（ｃ）のＡ部の拡大断面図である。図３に示すように、ノズル２１は、略円筒状のノズルボデー２１１と、ノズルボデー２１１に摺動自在に保持された略円柱状のノズルニードル２１２と、ノズルニードル２１２を閉弁向きに付勢するノズルスプリング２１３とを備えている。ノズルボデー２１１には、コモンレール１から供給される高圧燃料を内燃機関の気筒内に噴出させる噴孔２１４が形成され、ノズルニードル２１２の先端部（すなわち、噴孔側端部）がノズルボデー２１１に接離することにより噴孔２１４が開閉されるようになっている。
【００４０】
ノズル２１は、ノズルニードル２１２の後端部（すなわち、反噴孔側端部）が挿入される円筒状のシリンダ２１５を備え、このシリンダ２１５内には、内部の燃料圧力が高圧と低圧に切り替えられる制御室２１６が形成されている。そして、ノズルニードル２１２は、制御室２１６内の燃料圧力により閉弁向きに付勢されるとともに、噴孔２１４側に導かれる高圧燃料により開弁向きに付勢される。
【００４１】
制御室２１６の圧力を制御する制御弁機構２２は、インジェクタボデー２０とノズル２１との間に配置されている。そして、インジェクタボデー２０とリテーニングナット２４とを螺合させることにより、燃料噴射弁２の構成要素が一体化されている。
【００４２】
制御弁機構２２は、第１プレート２２１、第２プレート２２２、および弁体２２３を備えており、第１プレート２２１には、弁体２２３が収容される弁室２２４、および弁室２２４と低圧流路２０３とを連通させる第１連絡通路２２５が形成されている。
【００４３】
第２プレート２２２には、弁室２２４と制御室２１６とを連通させる第２連絡通路２２６、およびノズル２１内において高圧燃料が流通する部位と弁室２２４とを連通させる高圧導入通路２２７が形成されている。
【００４４】
弁体２２３と伝達部材２３２との間にはピン２２８が介在されており、ピエゾスタック２３１の伸縮変位が伝達部材２３２およびピン２２８を介して弁体２２３に伝達されるようになっている。また、弁体２２３は、バルブスプリング２２９によって伝達部材２３２側に向かって付勢されている。そして、弁室２２４と第１連絡通路２２５との間、および弁室２２４と高圧導入通路２２７との間は、弁体２２３によって開閉されるようになっている。
【００４５】
アクチュエータ２３の伝達部材２３２は、以下のように構成されている。ともに円柱状に形成された第１ピストン２３３および第２ピストン２３４が、円筒状のアクチュエータスリーブ２３５に摺動自在に且つ液密的に挿入されており、第１ピストン２３３と第２ピストン２３４との間には、燃料が充填された液室２３６が形成されている。
【００４６】
第１ピストン２３３は、第１スプリング２３７によりピエゾスタック２３１側に向かって付勢されており、ピエゾスタック２３１により直接駆動されるようになっている。そして、ピエゾスタック２３１の伸長時には、第１ピストン２３３により液室２３６の圧力が高められるようになっている。
【００４７】
第２ピストン２３４は、第２スプリング２３８により制御弁機構２２の弁体２２３側に向かって付勢されており、液室２３６の圧力を受けて作動して弁体２２３を駆動するようになっている。
【００４８】
次に、上記燃料噴射装置の作動を説明する。まず、ピエゾスタック２３１に電荷が充電されると、ピエゾスタック２３１が伸長して第１ピストン２３３が駆動され、第１ピストン２３３により液室２３６の圧力が高められる。高圧化された液室２３６の圧力により第２ピストン２３４が駆動され、それに伴って弁体２２３が図３の紙面下方に向かって駆動される。そして、弁体２２３が駆動されることにより、弁室２２４と第１連絡通路２２５との間が開かれるとともに、弁室２２４と高圧導入通路２２７との間が閉じられる。
【００４９】
したがって、制御室２１６の高圧燃料が、第２連絡通路２２６、弁室２２４および第１連絡通路２２５を介して低圧流路２０３に流出する。これにより、制御室２１６の圧力が低下してノズルニードル２１２を閉弁向きに付勢する力が小さくなるため、ノズルニードル２１２が開弁向きに移動し、ノズルニードル２１２の先端部がノズルボデー２１１から離れて噴孔２１４が開かれ、噴孔２１４から内燃機関の気筒内に燃料が噴射される。
【００５０】
ここで、低圧流路２０３は直線状に延びている（すなわち屈曲していない）ため流路抵抗が小さい。したがって、制御室２１６の高圧燃料が低圧流路２０３に流出した際の、低圧流路２０３内部の圧力脈動も小さくなる。これにより、弁室２２４の背圧変動が小さくなり、ひいては、弁体２２３の作動が安定して噴射量のばらつきが小さくなる。
【００５１】
その後、ピエゾスタック２３１の電荷が放電されると、ピエゾスタック２３１が縮むため第１ピストン２３３は第１スプリング２３７によりピエゾスタック２３１側に戻される。また、バルブスプリング２２９により、弁体２２３および第２ピストン２３４が第１ピストン２３３側に戻される。そして、弁体２２３が駆動されることにより、弁室２２４と第１連絡通路２２５との間が閉じられるとともに、弁室２２４と高圧導入通路２２７との間が開かれる。
【００５２】
したがって、ノズル２１内の高圧燃料が、高圧導入通路２２７、弁室２２４および第２連絡通路２２６を介して制御室２１６に流入する。これにより、制御室２１６の圧力が上昇してノズルニードル２１２を閉弁向きに付勢する力が大きくなるため、ノズルニードル２１２が閉弁向きに移動し、ノズルニードル２１２の先端部がノズルボデー２１１に当接して噴孔２１４が閉じられ、燃料噴射が終了する。
【００５３】
以上述べたように、本実施形態では、低圧流路２０３が直線状に延びているため、低圧流路２０３内部の圧力脈動が小さくなり、弁室２２４の背圧変動が小さくなり、ひいては、弁体２２３の作動が安定して噴射量のばらつきが小さくなる。
【００５４】
また、低圧取り出し部２０２をインジェクタボデー２０におけるインジェクタボデー軸Ｊ１方向端部に設けているため、低圧取り出し部２０２がインジェクタボデー２０の本体部からインジェクタボデー径方向に突出せず、或いは、低圧取り出し部２０２がインジェクタボデー２０の本体部からインジェクタボデー径方向に突出する度合いが小さくなり、燃料噴射弁２を小型にすることができる。
【００５５】
また、アクチュエータ２３をインジェクタボデー２０の内部に配置しているため、アクチュエータ２３がインジェクタボデー２０の外部に装着される場合よりも、燃料噴射弁２の全長を短くすることができる。
【００５６】
また、低圧流路２０３をインジェクタボデー軸Ｊ１からオフセットした位置に設けるとともに、アクチュエータ２３が収容される収容穴２０４を、インジェクタボデー軸Ｊ１に対して低圧流路２０３とは反対側にオフセットした位置に設けているため、低圧流路２０３とアクチュエータ２３との干渉を回避しやすい。
【００５７】
（第２実施形態）
本発明の第２実施形態について説明する。図４は第２実施形態に係る燃料噴射弁における接続部材近傍の断面図、図５は図４のＢ−Ｂ線に沿う断面図である。本実施形態は、低圧取り出し部および接続部材を変更したものであり、その他に関しては第１実施形態と同様であるため、異なる部分についてのみ説明する。
【００５８】
図４、図５に示すように、低圧取り出し部２０２には雌ねじは形成されていない。また、本実施形態の接続部材１０は、リターン配管７（図１参照）が接続される接続パイプ１０３と、接続パイプ１０３をインジェクタボデー２０に固定するクリップ１０４と、シール用のＯリング１０５とからなる。
【００５９】
接続パイプ１０３は樹脂よりなり、筒部１０３１が低圧取り出し部２０２に挿入され、筒部１０３１外周に装着されたＯリング１０５により、筒部１０３１と低圧取り出し部２０２との間がシールされている。
【００６０】
クリップ１０４は金属よりなり、略コの字状に形成されている。そして、インジェクタボデー２０には低圧取り出し部２０２の外周側に溝２０６が形成されており、クリップ１０４の内側に接続パイプ１０３を抱え込んだ状態でクリップ１０４の両端部を溝２０６に嵌合させることにより、接続パイプ１０３をインジェクタボデー２０に固定している。
【００６１】
（第３実施形態）
本発明の第３実施形態について説明する。図６は第３実施形態に係る燃料噴射弁における接続部材近傍の断面図である。本実施形態は、低圧取り出し部および接続部材を変更したものであり、その他に関しては第１実施形態と同様であるため、異なる部分についてのみ説明する。
【００６２】
図６に示すように、低圧取り出し部２０２には雌ねじは形成されていない。また、本実施形態の接続部材１０は、インジェクタボデー２０に圧入等にて固定された金属製のパイプ１０６、リターン配管７（図１参照）が接続される樹脂製の接続パイプ１０７、接続パイプ１０７をパイプ１０６に固定する柔軟性に富む樹脂よりなるリテーナ１０８、シール用のＯリング１０９等を備えている。
【００６３】
予め一体化された接続パイプ１０７とリテーナ１０８を、インジェクタボデー２０に固定されたパイプ１０６に装着することにより、図示のようにパイプ１０６の外周に形成された突起１０６１とリテーナ１０８とが係合して、接続パイプ１０７がパイプ１０６に固定されるようになっている。
【００６４】
（他の実施形態）
上記各実施形態では、ピエゾスタック２３１と伝達部材２３２とからなるアクチュエータ２３を用いたが、ソレノイドをアクチュエータ２３として用いることもできる。
【００６５】
また、上記各実施形態では、低圧取り出し部２０２および低圧流路２０３をインジェクタボデー軸Ｊ１からオフセットした位置に設けたが、低圧取り出し部２０２および低圧流路２０３をインジェクタボデー軸Ｊ１上（すなわちインジェクタボデー径方向中心部）に設けてもよい。
【００６６】
なお、上記各実施形態は、実施可能な範囲で任意に組み合わせが可能である。
【符号の説明】
【００６７】
５      燃料タンク（低圧部）
７      リターン配管
１０    接続部材
２０    インジェクタボデー
２１    ノズル
２３    アクチュエータ
２０２  低圧取り出し部
２０３  低圧流路
２１２  ノズルニードル
２１４  噴孔
２１６  制御室
２２３  弁体
２２５  連絡通路
２２６  連絡通路
【図１】
2011122464.tif 000003
【図２】
2011122464.tif 000004
【図３】
2011122464.tif 000005
【図４】
2011122464.tif 000006
【図５】
2011122464.tif 000007
【図６】
2011122464.tif 000008